(57)【要約】      （修正有）【課題】スマートフォンを収納できると共に収納した状態でスマートフォンの操作を行うことができるスマートフォン収納着脱機能付ウォレットを提供する。【解決手段】ウォレットケース１２を構成する第１ウォレットケース部１６の内側面にカード収容部形成シート体２４が設けられ、このシート体にカード収容部２６が形成されている。また、第１ウォレットケース部とカード収容部形成シート体の間に紙幣収容部２８が形成されている。さらに、第１ウォレットケース部と折曲部１４を挟んで開閉可能に設けられた第２ウォレットケース部１８との間にはスマートフォン着脱プレート３０が配設され、この着脱プレートに多数の吸盤３４を設けた吸盤プレート３２が設けられている。【選択図】図１
0003197372.tif 000002
【実用新案登録請求の範囲】
【請求項１】
折曲部を挟んで開閉可能に設けられた第１ウォレットケース部と第２ウォレットケース部を設けたウォレットケースと、前記第１ウォレットケース部又は第２ウォレットケース部の内側面の少なくとも一方に設けられたカード収容部と、前記第１ウォレットケース部又は第２ウォレットケース部の内側面の少なくとも一方に設けられた紙幣収容部と、前記第１ウォレットケース部と前記第２ウォレットケース部の間に設けられたスマートフォン着脱プレートと、このスマートフォン着脱プレートに設けられたスマートフォン着脱部と、を有してなることを特徴とするスマートフォン収納着脱機能付ウォレット。
【請求項２】
折曲部を挟んで開閉可能に設けられた第１ウォレットケース部と第２ウォレットケース部を設けたウォレットケースと、前記第１ウォレットケース部又は第２ウォレットケース部の内側面の少なくとも一方に設けられたカード収容部と、前記第１ウォレットケース部又は第２ウォレットケース部の内側面の少なくとも一方に設けられた紙幣収容部と、前記第１ウォレットケース部と前記第２ウォレットケース部の間に回動可能に設けられたスマートフォン着脱プレートと、このスマートフォン着脱プレートの少なくとも一面に設けられたスマートフォン着脱部と、を有してなることを特徴とするスマートフォン収納着脱機能付ウォレット。
【請求項３】
折曲部を挟んで開閉可能に設けられた第１ウォレットケース部と第２ウォレットケース部を設けたウォレットケースと、このウォレットケースの外側面に設けられた外側紙幣収容部と、前記ウォレットケースの外側面に設けられたコイン収容部と、前記第１ウォレットケース部又は第２ウォレットケース部の内側面の少なくとも一方に設けられたカード収容部と、前記第１ウォレットケース部又は第２ウォレットケース部の内側面の少なくとも一方に設けられた紙幣収容部と、前記第１ウォレットケース部と前記第２ウォレットケース部の間に設けられたスマートフォン着脱プレートと、このスマートフォン着脱プレートに設けられたスマートフォン着脱部と、を有してなることを特徴とするスマートフォン収納着脱機能付ウォレット。
【請求項４】
折曲部を挟んで開閉可能に設けられた第１ウォレットケース部と第２ウォレットケース部を設けたウォレットケースと、このウォレットケースの外側面に設けられた外側紙幣収容部と、前記ウォレットケースの外側面に設けられたコイン収容部と、前記第１ウォレットケース部又は第２ウォレットケース部の内側面の少なくとも一方に設けられたカード収容部と、前記第１ウォレットケース部又は第２ウォレットケース部の内側面の少なくとも一方に設けられた紙幣収容部と、前記第１ウォレットケース部と前記第２ウォレットケース部の間に回動可能に設けられたスマートフォン着脱プレートと、このスマートフォン着脱プレートの少なくとも一面に設けられたスマートフォン着脱部と、を有してなることを特徴とするスマートフォン収納着脱機能付ウォレット。
【請求項５】
前記第１ウォレットケース部又は前記第２ウォレットケース部の少なくとも一方の内側に鏡を設けたことを特徴とする請求項１、請求項２、請求項３、請求項４のいずれか１項のスマートフォン収納着脱機能付ウォレット。
【請求項６】
前記スマートフォン着脱部を吸盤で形成したことを特徴とする請求項１、請求項２、請求項３、請求項４、請求項５のいずれか１項のスマートフォン収納着脱機能付ウォレット。
【考案の詳細な説明】
【技術分野】
【０００１】
本考案は、紙幣、カード等の収容部と別途にスマートフォンを収容できると共にスマートフォンを着脱できるスマートフォン収納着脱機能付ウォレットに関する。
【背景技術】
【０００２】
現在、スマートフォンは極めて広く普及し、スマートフォンを肌身離さず携帯している人が急増している。
これらの人々は買物や食事等に出かける場合もスマートフォンを携帯している。
しかし、前記スマートフォンは携帯電話に比べて大型であり洋服のポケット等に収容しづらい。特に女性の服はファッション面からポケットが無かったり、ポケットがあってもポケットが小さい場合が多いため、スマートフォンを収容し難いと共に服のポケットにスマートフォンを収容すると見栄えの点からファッション的にも好ましくない。
そこで、出願人はスマートフォンを別途に収容するスマートフォン収容部を備えた財布を提案した（特許文献１）。
しかし、このスマートフォン収容部を備えた財布は、スマートフォン収容部にスマートフォンを収容すると収容した状態でスマートフォンを操作するのが難いため、スマートフォンを操作する場合はスマートフォン収容部からスマートフォンを一旦取り出して操作しなければならない。
【先行技術文献】
【特許文献】
【０００３】
【特許文献１】実用新案登録第３１７７９０１号公報
【考案の概要】
【考案が解決しようとする課題】
【０００４】
本考案は、上記事実に鑑みなされたものであり、スマートフォンを収容できると共にスマートフォンを取り出さなくてもそのままの状態でスマートフォンの操作を行うことができるスマートフォン収納着脱機能付ウォレットを提供するものである。
【課題を解決するための手段】
【０００５】
請求項１の考案は、折曲部を挟んで開閉可能に設けられた第１ウォレットケース部と第２ウォレットケース部を設けたウォレットケースと、前記第１ウォレットケース部又は第２ウォレットケース部の内側面の少なくとも一方に設けられたカード収容部と、前記第１ウォレットケース部又は第２ウォレットケース部の内側面の少なくとも一方に設けられた紙幣収容部と、前記第１ウォレットケース部と前記第２ウォレットケース部の間に設けられたスマートフォン着脱プレートと、このスマートフォン着脱プレートに設けられたスマートフォン着脱部と、を有してなることを特徴としている。
請求項２の考案は、折曲部を挟んで開閉可能に設けられた第１ウォレットケース部と第２ウォレットケース部を設けたウォレットケースと、前記第１ウォレットケース部又は第２ウォレットケース部の内側面の少なくとも一方に設けられたカード収容部と、前記第１ウォレットケース部又は第２ウォレットケース部の内側面の少なくとも一方に設けられた紙幣収容部と、前記第１ウォレットケース部と前記第２ウォレットケース部の間に回動可能に設けられたスマートフォン着脱プレートと、このスマートフォン着脱プレートの少なくとも一面に設けられたスマートフォン着脱部と、を有してなることを特徴としている。
請求項３の考案は、折曲部を挟んで開閉可能に設けられた第１ウォレットケース部と第２ウォレットケース部を設けたウォレットケースと、このウォレットケースの外側面に設けられた外側紙幣収容部と、前記ウォレットケースの外側面に設けられたコイン収容部と、前記第１ウォレットケース部又は第２ウォレットケース部の内側面の少なくとも一方に設けられたカード収容部と、前記第１ウォレットケース部又は第２ウォレットケース部の内側面の少なくとも一方に設けられた紙幣収容部と、前記第１ウォレットケース部と前記第２ウォレットケース部の間に設けられたスマートフォン着脱プレートと、このスマートフォン着脱プレートに設けられたスマートフォン着脱部と、を有してなることを特徴としている。
請求項４の考案は、折曲部を挟んで開閉可能に設けられた第１ウォレットケース部と第２ウォレットケース部を設けたウォレットケースと、このウォレットケースの外側面に設けられた外側紙幣収容部と、前記ウォレットケースの外側面に設けられたコイン収容部と、前記第１ウォレットケース部又は第２ウォレットケース部の内側面の少なくとも一方に設けられたカード収容部と、前記第１ウォレットケース部又は第２ウォレットケース部の内側面の少なくとも一方に設けられた紙幣収容部と、前記第１ウォレットケース部と前記第２ウォレットケース部の間に回動可能に設けられたスマートフォン着脱プレートと、このスマートフォン着脱プレートの少なくとも一面に設けられたスマートフォン着脱部と、を有してなることを特徴としている。
請求項５の考案は、前記第１ウォレットケース部又は前記第２ウォレットケース部の少なくとも一方の内側に鏡を設けたことを特徴としている。
請求項６の考案は、前記スマートフォン着脱部を吸盤で形成したことを特徴としている。
【考案の効果】
【０００６】
本考案は、スマートフォンを収納できると共にスマートフォンをスマートフォン着脱プレートに着脱可能に取り付けることができるという優れた効果を有する。
本考案は、スマートフォン着脱プレートに設けられたスマートフォン着脱部にスマートフォンの操作面を露出した状態で取り付けることができるので、スマートフォン着脱プレートに取り付けた状態のままでスマートフォンを操作できるという優れた効果を有する。
請求項５の考案は、上記優れた効果の他に鏡が設けられているので別途に鏡を携帯する必要がないという優れた効果を有する。
【図面の簡単な説明】
【０００７】
【図１】第１実施例のスマートフォン収納着脱機能付ウォレットを開いた状態の全体斜視図である。
【図２】第１実施例のスマートフォン収納着脱機能付ウォレットを開いた状態の全体斜視図である。
【図３】第１実施例のスマートフォン収納着脱収納機能付ウォレットの全体斜視図である。
【図４】第１実施例のスマートフォン収納着脱機能付ウォレットにスマートフォンを取り付けた状態図である。
【図５】第２実施例のスマートフォン収納着脱機能付ウォレットの全体斜視図である。
【図６】第２実施例のスマートフォン収納着脱機能付ウォレットの全体斜視図である。
【図７】第２実施例のスマートフォン収納着脱機能付ウォレットを開いた状態の全体斜視図である。
【図８】第２実施例のスマートフォン収納着脱機能付ウォレットを開いた状態の全体斜視図である。
【図９】第３実施例のスマートフォン収納着脱機能付ウォレットの正面図である。
【図１０】第３実施例のスマートフォン収納着脱機能付ウォレットを背面図である。
【図１１】第３実施例のスマートフォン収納着脱収納機能付ウォレットを開いた全体図である。
【図１２】第３実施例のスマートフォン収納着脱収納機能付ウォレットを開いた全体図である。
【図１３】第４実施例のスマートフォン収納着脱機能付ウォレットの正面図である。
【図１４】第４実施例のスマートフォン収納着脱機能付ウォレットを背面図である。
【図１５】第４実施例のスマートフォン収納着脱収納機能付ウォレットを開いた全体図である。
【図１６】第４実施例のスマートフォン収納着脱収納機能付ウォレットを開いた全体図である。
【考案を実施するための形態】
【０００８】
考案を実施するために最良の形態の例として以下のような実施例を示す。
【実施例１】
【０００９】
図１〜図４には本考案に係るスマートフォン収納着脱機能付ウォレットの第１実施例が示されている。
【００１０】
図３に示されるように、このスマートフォン収納着脱機能付ウォレット１０のウォレットケース１２は折曲部１４を挟んで第１ウォレットケース部１６と第２ウォレットケース部１８を有している。
【００１１】
図１及び図２に示されるように、この第１ウォレットケース部１６の外側縁と第２ウォレットケース部１８の外側縁にはファスナー２０が取り付けられている。このファスナー２０はファスナースライダー２２をスライドさせることにより第１ウォレットケース部１６と第２ウォレットケース部１８を開閉できるようになっている。
【００１２】
前記第１ウォレットケース部１６の内側面にはカード収容部形成シート体２４が取り付けられている。このカード収容部形成シート体２４の表面にはカード１を差し込んで収容できるカード収容部２６が複数形成されている。
【００１３】
前記カード収容部形成シート体２４の第１辺２４Ａ，第２辺２４Ｂ，第３辺２４Ｃは前記第１ウォレットケース部１６と縫着されているが、第４辺２４Ｄは前記第１ウォレットケース部１６と縫着されていない。
このため前記第１ウォレットケース部１６と前記カード収容部形成シート体２４の間には紙幣収容部２８が形成され、カード収容部形成シート体２４の第４辺２４Ｄから紙幣を紙幣収容部２８に収容できるようになっている。
【００１４】
前記第１ウォレットケース部１６と前記第２ウォレットケース部１８との間にはスマートフォン着脱プレート３０が配設されている。このスマートフォン着脱プレート３０の基端部３０Ａは前記ウォレットケース１２に逢着されている。このため、このスマートフォン着脱プレート３０は基端部３０Ａを中心として図１矢印方向に回動できるようになっている。
【００１５】
前記スマートフォン着脱プレート３０の第１面３０Ｂには吸盤プレート３２が縫着されている。
この吸盤プレート３２にはスマートフォン着脱部としての樹脂製の吸盤３４が多数取り付けられている。これら吸盤３４は図４で示されるようにスマートフォン２の背面２Ａを確実に吸着できるようになっている。また、スマートフォン２の操作部が形成されている正面２Ｂは全体が露出されるようになっている。
【００１６】
図２に示されるように、前記第２ウォレットケース部１８の内側面には矩形状の鏡３６が取り付けられている。
【００１７】
次に、第１実施例のスマートフォン収納着脱機能付ウォレット１０の作用について説明する。
【００１８】
このスマートフォン収納着脱機能付ウォレット１０のウォレットケース１２を開ける場合はファスナースライダー２２をスライドさせてファスナー２０を開ける。
そして、前記ウォレットケース１２の第１ウォレットケース部１６と第２ウオレットケース部１８を互いに離間方向に開けてウォレットケース１２を開く。
【００１９】
前記ウォレットケース１２の内部にはスマートフォン着脱プレート３０が設けられているので、スマートフォン２の背面２Ａをスマートフォン着脱プレート３０に設けられた多数の吸盤３４に吸着させることによりスマートフォン２を簡単確実に取り付けることができる。
従って、図４に示されるようにウォレットケース１２にスマートフォン２が収容されていてもスマートフォン２の操作面である正面２Ｂは完全に露出しているので、スマートフォン２を自由に操作することができる。
【００２０】
また、スマートフォン２をウォレットケース１２から取り出す場合はスマートフォン２を強く引っ張れば、スマートフォン２の背面２Ａは吸盤３４から外れるので、簡単にスマートフォン２を取り外すことができる。
【００２１】
なお、カード１を収容したい場合は前記ガード収容部２６にカード１を収容でき、紙幣を収容したい場合は紙幣収容部２８に紙幣を収容することができる。
【００２２】
また、前記ウォレットケース１２には鏡３６が設けられているので、化粧を直したりする場合等は別途に鏡を携帯していなくてもスマートフォン収納着脱機能付ウォレット１０の鏡３６を見て化粧を直したりすることができるので便利である。
【００２３】
なお、スマートフォン収納着脱機能付ウォレット１０は、スマートフォン着脱プレート３０の吸盤３４にスマートフォン２が吸着されるので、食事や買物等の支払い時にスマートフォン２が邪魔にならず支払いを行うことができる。
【００２４】
図５〜図８にはスマートフォン収納着脱機能付ウォレットの第２実施例が記載されている。この第２実施例のスマートフォン収納着脱機能付ウォレット４０は第１実施例のスマートフォン収納着脱機能付ウォレット１０のようにファスナーでウオレットケースを開閉するタイプと異なり、バンドでウォレットケースを開閉するタイプである。なお、第１実施例のスマートフォン収納着脱機能付ウォレット１０と同一の構成は同一の符号を用いてその説明を省略する。
【００２５】
図５及び図６に示されるように、第２実施例のスマートフォン収納着脱機能付ウォレット４０のウォレットケース４２は折曲部４４を挟んで第１ウォレットケース部４６と第２ウォレットケース部４８を有している。
【００２６】
この第１ウォレットケース部４６と第２ウォレットケース部４８の外側には外側紙幣収容部形成シート５０が取り付けられている。この外側紙幣収容部形成シート体５０の第１辺５０Ａは第１ウォレットケース部４６と逢着され、第２辺５０Ｂは前記第１ウォレットケース部４６、前記第２ウォレットケース部４８と縫着され、第３辺５０Ｃは前記第２ウォレットケース部４８と縫着されているが、第４辺５０Ｄは前記第１ウォレットケース部４６、前記第２ウォレットケース部４８と縫着されていない。
このため前記第１ウォレットケース部４６、前記第２ウォレットケース部４８と前記外側紙幣収容部形成シート体５０の間には外側紙幣収容部５２が形成され、第４辺５０Ｄから紙幣を外側紙幣収容部５２に収容できるようになっている。
【００２７】
図６に示されるように、前記外側紙幣収容部形成シート体５０にはコイン収容部５４が形成されている。このコイン収容部５４はファスナー５６が設けられ、ファスナースライダー５８をスライドすることによりコイン収容部５４を開閉できるようになっている。
なお、前記コイン収容部５４にはマチ部５４Ａが形成され、コイン収容部５４にコインを収容し易くなっている。
【００２８】
図７に示されるように、前記第１ウォレットケース部４６の内側面にはカード収容部形成シート体２４が取り付けられている。このカード収容部形成シート体２４の外側面にはカード１を差し込んで収容できるカード収容部２６が複数形成されている。
また、前記カード収容部形成シート体２４の第１辺２４Ａ，第２辺２４Ｂ，第３辺２４Ｃは前記第１ウォレットケース部４６と縫着されているが、第４辺２４Ｄは前記第１ウォレットケース部４６と縫着されていない。
従って、前記第１ウォレットケース部４６と前記カード収容部形成シート体２４の間には第１内側紙幣収容部６０が形成され、第４辺２４Ｄから紙幣を第１内側紙幣収容部６０に収容できるようになっている。
【００２９】
前記第１ウォレットケース部４６と前記第２ウォレットケース部４８との間にはスマートフォン着脱プレート３０が配設されている。このスマートフォン着脱プレート３０の基端部３０Ａは前記ウォレットケース４２に取り付けられている。
【００３０】
このスマートフォン着脱プレート３０の第１面３０Ｂには吸盤プレート３２が接着されている。この吸盤プレート３２には吸盤３４が多数取り付けられ、スマートフォン２を確実に吸着できるようになっている。
【００３１】
図８に示されるように、前記第２ウォレットケース部４８の内側面には紙幣収容部形成シート体６２が取り付けられている。この紙幣収容部形成シート体６２の第１辺６２Ａ，第２辺６２Ｂ，第３辺６２Ｃは前記第２ウォレットケース部４８と縫着されているが、第４辺６２Ｄは前記第２ウォレットケース部４８と縫着されていない。
従って、前記第２ウォレットケース部４８と前記紙幣収容部形成シート体６２の間には第２内側紙幣収容部６４が形成され、第４辺６２Ｄから紙幣を第２内側紙幣収容部６４に収容できるようになっている。
【００３２】
図６に示されるように、前記第２ウォレットケース部４８にはバンド６６の基端部６６Ａが固定されている。
【００３３】
図７に示されるように、前記バンド６６の先端部６６Ｂには係止凸部６８が固定されている。この係止凸部６８は前記第１ウォレットケース部４６に対応する外側紙幣収容部形成シート体５０の外側面に固定された係止凹部（図示せず）と嵌合するようになっている。
従って、前記ウォレットケース４２の第１ウォレットケース部４６と第２ウォレットケース部４８を開く場合は前記バンド６６の係止凸部６８と前記係止凹部の嵌合を解除すればよく、また、前記ウォレットケース４２の第１ウォレットケース部４６と第２ウォレットケース部４８を閉じる場合は前記バンド６６の係止凸部６８と前記係止凹部を嵌合させればよい。
【００３４】
なお、他の作用、効果は第１実施例のスマートフォン収納着脱機能付ウォレット１０と同一であるのでその説明は省略する。
【００３５】
図９〜図１２には第３実施例のスマートフォン収納着脱機能付ウォレット７０が示されている。この第３実施例のスマートフォン収納着脱機能付ウォレット７０は第１実施例のスマートフォン収納着脱機能付ウォレット１０の変形例である。なお、第１実施例のスマートフォン収納着脱機能付ウォレット１０と同一の構成は同一の符号を用いてその説明を省略する。
【００３６】
図９及び図１０に示されるように、スマートフォン収納着脱機能付ウォレット７０のウォレットケース１２の外側には外側紙幣収容部形成シート７２が取り付けられている。この外側紙幣収容部形成シート体７２の第１辺７２Ａは前記第１ウォレットケース部１６と逢着され、第２辺７２Ｂは前記第１ウォレットケース部１６、前記第２ウォレットケース部１８と逢着され、第３辺７２Ｃは前記第２ウォレットケース部１８と縫着されているが、第４辺７２Ｄは前記第１ウォレットケース部１６、前記第２ウォレットケース部１８と縫着されていない。
このため前記第１ウォレットケース部１６、前記第２ウォレットケース部１８と前記外側紙幣収容部形成シート体７２の間には外側紙幣収容部７４が形成され、第４辺７２Ｄから紙幣を外側紙幣収容部７４に収容できるようになっている。
【００３７】
図１０に示されるように、前記外側紙幣収容部形成シート体７２にはコイン収容部７６が形成されている。このコイン収容部７６はファスナー７８が設けられ、ファスナースライダー７９をスライドすることによりコイン収容部７６を開閉できるようになっている。
なお、前記コイン収容部７６にはマチ部７６Ａが形成され、コイン収容部７６にコインを収容し易くなっている。
【００３８】
図１１及び図１２に示されるように、スマートフォン収納着脱機能付ウォレット７０においては前記第２ウォレットケース部１８の内側面にもカード収容部形成シート体２４が取り付けられている。
【００３９】
前記第２ウォレットケース部１８の内側面に設けられた前記カード収容部形成シート体２４の第１辺２４Ａ，第２辺２４Ｂ，第３辺２４Ｃは前記第２ウォレットケース部１８と縫着されているが、第４辺２４Ｄは前記第２ウォレットケース部１８と縫着されていない。
このため前記第２ウォレットケース部１８と前記カード収容部形成シート体２４の間にも紙幣収容部２８が形成されている。
【００４０】
図１２に示されるように、前記第２ウォレットケース部１８の内側に取り付けられたカード収容部形成シート体２４には鏡３６が取り付けられている。
【００４１】
第３実施例のスマートフォン収納着脱機能付ウォレット７０においては第１実施例のスマートフォン収納着脱機能付ウォレット１０と異なり外側紙幣収容部７４が形成されているので、外側紙幣収容部７４にも紙幣等を収容することができる。
【００４２】
また、前記第２ウォレットケース部１８にも前記カード収容部形成シート体２４を設けたのでより多くのカードを収容できると共に前記第２ウォレットケース部１８と前記カード収容部形成シート体２４の間にも紙幣収容部２８を設けたので紙幣等を収容することができる。
【００４３】
なお、他の構成、作用、効果は第１実施例のスマートフォン収納着脱機能付ウォレット１０と同一であるのでその説明は省略する。
【００４４】
図１３〜図１６には第４実施例のスマートフォン収納着脱機能付ウォレット８０が示されている。この第４実施例のスマートフォン収納着脱機能付ウォレット８０は第２実施例のスマートフォン収納着脱機能付ウォレット４０の変形例である。なお、第２実施例のスマートフォン収納着脱機能付ウォレット４０と同一の構成は同一の符号を用いてその説明を省略する。
【００４５】
図１５及び図１６に示されるように、スマートフォン収納着脱機能付ウォレット８０は第２ウォレットケース部４８の内側にもカード収容部形成シート体２４が取り付けられている。また、第２ウォレットケース部４８の内側に取り付けられたカード収容部形成シート体２４には鏡３６が取り付けられている。
【００４６】
従って、第４実施例のスマートフォン収納着脱機能付ウォレット８０の方が第２実施例のスマートフォン収納着脱機能付ウォレット４０に比べて多くのカード１を収容することができる。
【００４７】
また、第４実施例のスマートフォン収納着脱機能付ウォレット８０は鏡３６が取付けられているので、別途に鏡３６を携帯しなくてよい。
【００４８】
なお、他の構成、作用、効果は第１実施例のスマートフォン収納着脱機能付ウォレット１０、第２実施例のスマートフォン収納着脱機能付ウォレット４０と同一であるのでその説明は省略する。
【００４９】
なお、実施例ではスマートフォン着脱部としての吸盤３４を示したが、スマートフォン着脱部はスマートフォン２を着脱できるものであれば吸盤３４に限定されないことは勿論である。
また、実施例では紙幣を収容する紙幣収容部２８、外側紙幣収容部５２、第１内側紙幣収容部６０、第２内側紙幣収容部６４、外側紙幣収容部７４を示したが、これら紙幣収容部２８、外側紙幣収容部５２、第１内側紙幣収容部６０、第２内側紙幣収容部６４、外側紙幣収容部７４には紙幣以外のレシート等を収容してもよいことは勿論である。
【産業上の利用可能性】
【００５０】
本考案のスマートフォン収納着脱機能付ウォレットは、スマートフォン以外に携帯電話を収容する場合にも使用することができる。
【符号の説明】
【００５１】
１０    スマートフォン収納着脱機能付ウォレット
１２    ウォレットケース
１４    折曲部
１６    第１ウォレットケース部
１８    第２ウォレットケース部
２０    ファスナー
２２    ファスナースライダー
２４    カード収容部形成シート体
２６    カード収容部
２８    紙幣収容部
３０    スマートフォン着脱プレート
３２    吸盤プレート
３４    吸盤
３６    鏡
【図１】
0003197372.tif 000003
【図２】
0003197372.tif 000004
【図３】
0003197372.tif 000005
【図４】
0003197372.tif 000006
【図５】
0003197372.tif 000007
【図６】
0003197372.tif 000008
【図７】
0003197372.tif 000009
【図８】
0003197372.tif 000010
【図９】
0003197372.tif 000011
【図１０】
0003197372.tif 000012
【図１１】
0003197372.tif 000013
【図１２】
0003197372.tif 000014
【図１３】
0003197372.tif 000015
【図１４】
0003197372.tif 000016
【図１５】
0003197372.tif 000017
【図１６】
0003197372.tif 000018